(57)【要約】      （修正有）【課題】建設現場において、ショベル等で砕石を掘削穴に供給する際に、ショベルカー等のショベルから直接投下し、この砕石を掘削穴の開口端に漏洩なく短時間に供給でき、かつ掘削穴間を簡単に、かつ安全に確実に移動させて、安定して供給できる建設用ホッパーを提供する。【解決手段】中心に中空孔を有する垂直筒体６と該垂直筒体６の筒壁外周面にショベルからの砕石が直接に供給されるテーパー、あるいは勾配状の縦，横断面に形成し、末端に解放口を有する漏斗状の収納体１１とを一体に設ける。垂直筒体６の上端部に釣り下げ部材を一対設け、ほぼ中間部の筒壁に砕石流入口７を穿設し、下端部の中空孔５に掘削穴の直径とほぼ合致するガイド孔を設けると共に、筒壁外周面下端に垂直度安定維持も兼ねる補助脚９を一対以上、かつ収納体１１の先端部に垂直に設けた補強支持脚１７の下端と一体化した補助的延長脚を設ける。【選択図】図１
0003160865.tif 000002
【実用新案登録請求の範囲】
【請求項１】
中心に中空孔を有する垂直筒体と該垂直筒体の筒壁に砕石流入口を穿設し、該砕石流入口を含む外周壁面にショベル等からの砕石が直接に投下される上端面に長方形状等の平面的な開口と側壁部と該開口の先端から解放口の末端に向かって傾斜した底面部とから横断面が三角形状で、かつ樋状に形成した収納体とを一体に設け、また、上記垂直筒体の上端部の外周壁面または、収納体の末端部近傍に釣り下げ部材を一対設け、下端部の中空孔に掘削穴の直径とほぼ合致するガイド孔を設けると共に、筒壁外周面下端に垂直度安定維持等も兼ねる補助脚を一対以上、かつ前記収納体の先端部に垂直に設けた補強支持脚の下端と一体化した補助的延長脚を設けたことを特徴とする建設用ホッパー。
【請求項２】
前記砕石流入口は、砕石が通過しやすいほぼＵ字状、あるいはフ字状、若しくはこれらの変形した形状等の切り欠きに形成すると共に、収納体の解放口と同じ方向で、かつ砕石流入口の下端と解放口の下端とをほぼ面一に形成したことを特徴とする請求項１記載の建設用ホッパー。
【請求項３】
前記釣り下げ部材と補助脚を垂直筒体の収納体と異なる方向に設けたことを特徴とする請求項１または２に記載の建設用ホッパー。
【請求項４】
前記砕石流入口と同じ方向で収納体の先端部に垂直に設けた補強支持脚の下端と一体化した補助的延長脚を設けたことを特徴とする請求項１〜３項のいずれか１項に記載の建設用ホッパー。
【考案の詳細な説明】
【技術分野】
【０００１】        本考案は、砕石、砂、砂利、残土等の大量の建設用材料をショベル等から投下された、例えば掘削した所定の杭孔等に漏洩なく確実に供給するに有用な建設用ホッパーに関するものである。
【背景技術】
【０００２】        従来から、住宅用の地盤の強化のための杭穴、及び建設用の掘削溝埋設等のため砕石、砂、砂利、残土等（以下、単に砕石という。）を大型のショベルで大量に堆積された場所から所定の場所に運搬して砕石を投下することで供給していた。【０００３】        この場合は、ショベルから例えば４００ｍｍ¢程度の直径の住宅用の地盤強化のための杭穴等に投下される砕石の約３割位は杭穴周囲に漏れることになり、非能率的であり、結局、作業員が杭穴にスコップで移動せざるを得ない煩雑な作業があり、経済的にも時間的にも大きな無駄であり、かつ住宅地は狭い作業環境であり、作業効率が非常に悪かった。【０００４】        また、所定の砕石穴に砕石を供給するためには、杭穴に合致したショベルの間口のあるショベルを使用することもあるが、杭穴の大きさ、掘削溝等の寸法に合致したショベルを用意する必要があり、高価な設備を常備することは経済的に困難である。さらに、小型のショベルの容量は小さく、砕石を堆積場所からショベルカーで杭穴等に運搬する容量も小さく、必要量を供給するために多くの運搬回数が必要と成り、非能率的である。【０００５】        そこで、杭穴の地盤面に杭穴に合致させて所定杭穴に埋め戻し残土を供給するホッパー、或いは大量の建設材料をダンプカー、大型ショベルから供給するホッパーも提案され、実施されている。（例えば、特許文献１，２等を参照）。
【先行技術文献】
【０００６】
【特許文献１】  登録実用新案第３００１５０２号公報
【特許文献２】  特開２０００−２５８９１号公報
【考案の概要】
【考案が解決しようとする課題】
【０００７】      しかしながら、特許文献１では狭い土地環境での作業において、ショベルカー等を杭穴の真上に移動させることができないケースが多く、しかも、現場では他の作業と並行して行われるため実質的には作業効率が大幅に低下していた。【０００８】      また、特許文献２では、一度に大量の建設材料を供給するのに最適であり、狭い住宅地等では、使用できない課題があった。【０００９】      本考案は、住宅地の地盤強化のため等の杭穴等に直接に掘削穴から他に漏洩せずに確実に案内して供給し、かつ狭い土地、あるいは方向が制限されている土地でも掘削穴に大きなショベルで大量の砕石を供給でき、しかも煩雑で非能率な人工による手作業の無駄を省き、かつ時間短縮による作業能率のアップを図り、その上、砕石の漏れを防止でき、さらにホッパー自体をバランス良く釣り下げ移動できるようにコンパクトに構成した建設用ホッパーを提供することを目的としたものである。
【課題を解決するための手段】
【００１０】        本考案は、このような課題を解決するため掘削穴、或いは埋め込み溝幅に対応した大きさの垂直筒体の上端部に長方形等の開口へショベル等から投下される砕石を受け収納し、垂直筒体に砕石を供給するための横断面がほぼ三角状で、縦断面で下端となる底面部を平面、或いはＵ字状等に形成し、かつ先端から末端に向かって容積が徐徐に減少する勾配を有し、末端を解放口とした樋状の収納体を一体に設け、さらに収納体の先端部に曲げモーメントに対抗するための補強支持脚を設けたものである。【００１１】        また、垂直筒体の下端部には掘削穴にマッチしたガイド孔として機能させる裁筒円錐形等を設ける共に、収納体の末端の解放口に対応する位置の筒壁に砕石流入口を穿設し、該上端部筒壁の外周壁面等にホッパー全体を移動用するための一対の釣り下げ部材を収納体の解放口と約９０度程度異なる位置に一体に設ける。また、下端筒壁の外周壁面にホッパーの垂直性の支持と安定性の保持、及び建設用ホッパーの砕石の重さによる地盤への沈む込み防止用の補助脚を少なくとも一対以上と、補助延長脚を設けた建設用ホッパーである。【００１２】      そのため、狭い住宅地での地盤補強作業等において、ショベルで広い土地の方向に一方向に突出した収納体の開口に供給された大量の砕石を収納体末端の解放口から垂直筒体の砕石流入口を経て掘削穴の外部に漏洩することなく、効率よく確実に供給でき、作業時間の短縮と人工の大幅削減を図り、かつ分散した位置にある掘削穴にも簡単に建機でバランスを崩すことなく安全に素早く釣り下げて移動、載置できるため工事の総合的な納期短縮とコストダウンが図れる構造が簡単で安価な建設用ホッパーを提供するものである。【００１３】      また、垂直筒体は掘削穴が円形であれば最適であるが、掘削溝に砕石を供給する場合も溝幅に対応した垂直筒体の下端部を裁筒円錐断面、若しくは裁筒角断面に形成することもできる。【００１４】      垂直筒体の砕石流入口は、その上端から下端に向かって摩擦抵抗等の軽減と砕石の流れを良くするためＵ字形、フ字状、下端部を曲面，若しくは湾曲状、またはその変形状に切り欠いたように形成するものである。【００１５】        また、垂直筒体の下端筒壁の外周壁面には、補強支持脚の下端と一体化した補助延長脚を設け、ホッパー自体の安定性を強化するために少なくとも一本以上設けたものである。【００１６】        さらに、収納体の上面となる開口は一方向に突出した形状の長方形状等に形成し、開口の先端から末端の解放口に向かって側壁を垂直、若しくは下端部を傾斜させて断面積が減縮する形状に形成し、さらに底面は平面、若しくはＶ字、Ｕ字形状等に垂直筒体の砕石供給受け口に向かって傾斜等させた形状とし、砕石の流れを円滑にし、底面部の先端部に補強支持脚を一体に設ける。なお、開口は一方向から砕石を汎用のショベル等で漏れなく供給できる表面積、容積としたため狭い土地での砕石供給が最小限の回数に低減することも可能である。
【考案の効果】
【００１７】        本考案に係る建設用ホッパーは、ショベル、ユンボ、フオークリフト等の移動手段で、掘削穴の中心部に垂直筒体の中心部をほぼ合致させて載置するので、掘削穴開口部が、垂直筒体下端で覆うため収納体に供給された砕石は、収納体の解放口から垂直筒体の砕石流入口を経て下端部のラッパ状のガイド孔を介して全部、漏れなく供給できるので、作業後の清掃などの後始末が極めて容易である。また、全体の重さの重心のバランスは、釣り下げ部材等で調整しているので安全に所定位置に確実に素早く移動させることができる。【００１８】          また、収納体は、垂直筒体の一方向に突出して形成したため、狭い場所でも広めの位置からショベル等の制限されない方向からの大量の砕石を供給でき、大幅に運搬回数、清掃人工などのコストを削減できる。
さらに、本考案に係る建設用ホッパーは、ホッパー全体が一体化され、掘削穴の位置にマッチさるのにガイド的な役割の垂直筒体があり、かつコンパクトに構成したため一定間隔で多数穿設された掘削穴に対応して移動、載置が容易となり、しかも製造コストが安価である。
さらに、収納体の断面全体が三角形状で、側壁部を垂直面、或いはその下端部をＶ字的、或いはＵ字的な流線型に形成し、かつ垂直筒体の砕石流入口、及び下端のガイド孔を通過する際に砕石の流れが極めて摩擦抵抗の少ない形状に形成したので、砕石が移動途中で滞ること無くスムーズに移動でき掘削穴の埋め込み作業等を最小人工で短時間にできる特徴がある。
【図面の簡単な説明】
【００１９】
【図１】本考案に係る建設用ホッパーの一実施例を示す斜視図である。
【図２】図１におけるＡ−Ａ線における矢視断面図である。
【図３】図１におけるＢ−Ｂ線における矢視断面図である。
【図４】本考案に係る建設用ホッパーの一実施例を示す下面図である。
【図５】本考案に係る建設用ホッパーの一つの使用状態を示す断面説明図である。
【考案を実施するための形態】
【００２０】        以下に、本考案に係る建設用ホッパーの一実施例の形態につき図面を用いて詳細に説明する。即ち、図１は上記建設用ホッパーの全体を示す斜視図であり、１は建設用ホッパーで内，外周壁面２，３からなる筒壁４、及び中心に形成さした中空孔５とからなる円筒、あるいは角筒等の一種から形成した垂直筒体６であり、垂直筒体６のほぼ中間部から下方位の筒壁４に収納体１１から供給される砕石イを摩擦抵抗少なく通過させる形状に形成した砕石流入口７を図２、図３に示すように、例えばＵ字形、フ字状、若しくは曲面、湾曲状、それを変形した切り欠き形状とし、砕石の流入を制限しながらスムーズに垂直筒体６に移動させ形状に穿設する。
【００２１】        ガイド孔５ａは図１，図２，及び図３に示すように下端の中空孔５の口径を掘削穴に合致する大きさに制限するため逆ラッパ状に、筒壁４と一体に、若しくは、別体６ａで形成し、上端５ｂは砕石流入口７の下端７ａと面一になるような寸法に形成し、砕石イの流れをスムーズにする。なお、垂直筒体６の高さは、例えば１２００ｍｍ位、直径が６００ｍｍ、内径が４００ｍｍなコンパクトな大きさに構成する。
【００２２】        また、垂直筒体６の上端部の外周壁面３には、釣り下げ部材８を少なくとも一対、対称に垂直筒体６と一体で、かつ砕石流入口と異なる位置に設ける。なお、釣り下げ部材８はホッパー１自体の重心のバランスをとって垂直筒体６の中心から収納体１１の先端部１１ａの方向の位置に設けることもある。
さらに、図１，図４に示すように垂直筒体６の下端部外周面壁３には垂直筒体６の垂直度を維持するため少なくとも一対、対称に垂直筒体６と一体に補助脚９を設ける。なお、補助脚９は、ホッパー１の地盤への沈み込み防止とホッパー全体の重心のバランス維持等に役立つ。なお、補助脚９はホッパー１全体の重心のバランスから垂直筒体６の中心から外方へずれた位置に設けることもある。
【００２３】        １０は補助延長脚で、図１、及び図４に示すように垂直筒体６の下端部の外周壁面３で、かつ砕石流入口７と同じ方向の位置で垂直筒体６と一体に設ける。後記する補強支持脚の受け材も兼ねる。
【００２４】        収納体１１は樋状で図２に示すように横断面をほぼ三角形状に形成したものであり、図１，図２〜５に示すようにショベルから砕石イを漏らさずに投下できるように先端１１ａから末端１１ｂに向かって図示しないショベルの投下口より大きな面積の長方形等で、かつ上端面に形成した開口１２と側壁部１３と側壁部１３の下端部分を傾斜した側壁傾斜部１４と平面状で先端１１ａから末端１１ｂに向かって傾斜した底面部１５と末端の解放口１６とから構成する。また、収納体１１は全体を先端部１１ａから末端１１ｂに向かって断面の容積が徐徐に絞ったような形状、例えば底面部１５を勾配形状、或いはＶ字、Ｕ字的に形成し、砕石イの流れ易く形成する。勿論、図示しないが側壁部１３は、平行な側壁部に形成し断面形状に構成することもできる。
【００２５】        さらに説明すると、収納体１１は、図１  、及び図２、図３に示すように垂直筒体６の中空部５を砕石イが通過する砕石流入口７を筒壁４に穿設した位置を含んだ垂直筒体６の外周壁面３と一体に設ける。即ち、砕石イを図示しないショベルカー等の運搬機器のショベルから砕石イを漏らさずに、かつ土地等の面積に余裕のある方向から砕石イを投下できる構成である。その容量は、目的に対応したサイズとする。
【００２６】      さらに詳しく説明すると、収納体１１は、開口１２，側壁部１３，側壁傾斜部１４，底面部１５と一体に形成したものであり、砕石イの投下でも破壊しない機械的強度に設計する。例えば金属板材で厚さが６ミリメートル、長さＬを１２００ｍｍとしたものである。
【００２７】        １７は補強支持脚であり、収納体１１の先端１１ａの近傍に設け、砕石イを積載した際の重量による収納体１１が曲げモーメントに対抗するために設け、補助延長脚９と一体に固定してホッパー全体の強度、垂直度の安定性等を維持するのに役立つ。
【００２８】        次ぎに、この実施例の建設用ホッパーの作用効果について説明する。
即ち、ショベルカー等のショベルから収納体１１の開口１２に直接に砕石イを供給できる共に、その解放口１６から垂直筒体６の筒壁４に穿設した砕石流入口７から中空孔５に流れ、そこからガイド孔５ａを流下して掘削穴ロに砕石イを円滑に流下する構造の建設用ホッパーである。
【００２９】        このような構成であるから、建設用ホッパー１の垂直筒体６をショベルカー等で釣り上げ、掘削穴ロ上にガイド孔５ａを図４に示すように運搬設置できるため位置決めが簡単であり、熟練を必要とせず、設置時間を大幅に短縮できる。また、掘削穴ロの容積が解っているため収納体１１の容積と汎用ショベルの容積で回数を割り出して対応できるため砕石イを効率よく運搬、供給できる。
【００３０】        さらに、砕石イが収納体１１の縦、横の断面形状がいずれも砕石イが移動、あるいは流れやすい形状、例えば、図１  、図２，及び図５に示すように先端から末端に向かって大きさが減縮する形状としたので砕石イの重さで下方へ流れる。勿論、収納体１１の砕石イの残りが僅少になると砕石イの移動が緩やかになるが、最後には外部から人間が収納体１１から砕石イを全部中空孔５に移動させ、垂直な中空孔５からガイド孔５ａを経て掘削穴ロに直接、無駄なく、漏れることもなく供給でき、作業後の清掃も極めて短時間ででき、かつ綺麗である。
【００３１】        収納体１１の解放口１６の下端１６ａが砕石流入口７の下端７ａと面一に形成したため砕石イの流れが円滑になり、供給時間を短縮でき、建設用ホッパー１の洗浄も容易となる。
【００３２】      以上説明したのは、本考案の一実施例であり、垂直筒体６と収納体１１をボルト等の締結具で装着自在な構造とすることもできる。その際は、ホッパー１がコンパクトになるため運搬が極めて容易になる。
【符号の説明】
【００３３】１  建設用ホッパー
２  内周壁面
３  外周壁面
４  筒壁
５  中空孔
５ａ  ガイド孔
６  垂直筒体
７  砕石流入口
９  補助脚
１１  収納体
１２  開口
１３  側壁部
１５  底面部
１６  解放口
１７  補強支持脚
イ    砕石
ロ    掘削穴
【図１】
0003160865.tif 000003
【図２】
0003160865.tif 000004
【図３】
0003160865.tif 000005
【図４】
0003160865.tif 000006
【図５】
0003160865.tif 000007
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
中心に中空孔を有する垂直筒体と該垂直筒体の筒壁外周面にショベルからの砕石を直接的供給されるテーパー、あるいは勾配状の縦，横断面に形成し、末端に解放口を有する漏斗状の収納体とを一体に設け、上記垂直筒体の上端部に釣り下げ部材を一対設け、ほぼ中間部の筒壁に砕石供給受け口を穿設し、下端部の中空孔に掘削穴の直径とほぼ合致するガイド孔を設けると共に、筒壁外周面下端に垂直度安定維持も兼ねる補助脚を一対以上、かつ前記収納体の先端部に垂直に設けた補強支持脚の下端と一体化した補助的延長脚を設けたことを特徴とする建設用ホッパー。
【請求項２】
前記砕石流入口は、砕石が通過し易いほぼＵ字状、あるいはフ字状、若しくはこれらの変形した形状の一つの切り欠きに形成すると共に、収納体の解放口と同じ方向で、かつ砕石流入口の下端と解放口の下端とをほぼ面一に形成したことを特徴とする請求項１記載の建設用ホッパー。
【請求項３】
前記釣り下げ部材と補助脚を垂直筒体の収納体と異なる方向に設けたことを特徴とする請求項１または２に記載の建設用ホッパー。
【請求項４】
前記砕石流入口と同じ方向で収納体の先端部に垂直に設けた補強支持脚の下端と一体化した補助的延長脚を設けたことを特徴とする請求項１〜３項のいずれか１項に記載の建設用ホッパー。
【手続補正書】
【提出日】平成22年4月2日(2010.4.2)
【手続補正１】
【補正対象書類名】実用新案登録請求の範囲
【補正対象項目名】請求項１
【補正方法】変更
【補正の内容】
【請求項１】
中心に中空孔を有する垂直筒体と該垂直筒体の筒壁外周面にショベルからの砕石が直接に供給されるテーパー、あるいは勾配状の縦，横断面に形成し、末端に解放口を有する漏斗状の収納体とを一体に設け、上記垂直筒体の上端部に釣り下げ部材を一対設け、ほぼ中間部の筒壁に砕石流入口を穿設し、下端部の中空孔に掘削穴の直径とほぼ合致するガイド孔を設けると共に、筒壁外周面下端に垂直度安定維持も兼ねる補助脚を一対以上、かつ前記収納体の先端部に垂直に設けた補強支持脚の下端と一体化した補助的延長脚を設けたことを特徴とする建設用ホッパー。